(57)【特許請求の範囲】
【請求項１】
ノブを所定の後退位置から前進させることによりクリップを所定位置から前進させ、このクリップの耳部分を、左右に位置するクリップ拡開体に係合させ、クリップの２つの挟持部を拡開させてこの挟持部の間にシート積層体を挟んで綴じるクリップドライバにおいて、
前記クリップの連結部を後ろ側にして水平状態で移動可能に複数のクリップを保持するクリップホルダと、
前記ノブの所定の後退位置からの前進に応じて、所定の退避位置から前進し、この退避位置からの前進に応じてクリップホルダに保持した各クリップを押して順次前進させる移送部材を備えた移動体と、
前記移動体とクリップホルダとの距離を可変とする移動体位置可変部と、を備え、
前記移動体位置可変部は、移動体が退避位置に位置しているとき、移動体をクリップホルダから最も離した状態として移送部材と各クリップとを非接触状態に保ち、ノブの前進後退を移動体がクリップホルダに接近した状態の下で行わせ、ノブの後退時には移送部材を各クリップに弾力的に接触させ、
前記ノブおよび移動体は戻し用付勢部材で付勢されてノブは所定の後退位置に、移動体は所定の退避位置に戻り、
前記クリップホルダは、常時は戻し用付勢部材で付勢されている状態を押下部材で係止され、押下部材を押し下げるとき所定距離後方へ飛び出すようになっている、
ことを特徴とするクリップドライバ。
【発明の詳細な説明】
【０００１】
【発明の属する技術分野】
この発明は、複数のシートを積層したシート積層体、例えば複数枚の紙を積層した書類をクリップで綴じるためのクリップドライバに関するものである。
【０００２】
【従来の技術】
従来より、所定枚数の書類を綴じる場合、ステープラやゼムクリップを使用している。
【０００３】
しかし、ステープラは内蔵したステープルを書類に貫通させて綴じるので、書類に傷が付くという不都合がある。
【０００４】
また、ゼムクリップは巻回されたリングの間に書類を挟むので、書類に傷が付かない代わりに、書類が外れ易く、また書類が厚い場合、うまく綴じることができないという不都合がある。
【０００５】
そこで、先端側へ進むにつれて互いに離れる所定長のガイド部分が先端に連設された２つの挟持部が、先端側が相接するように連結部の対向する辺に連設され、挟持部の間にシート積層体を挟んで綴じるクリップが種々提案され、このクリップをクリップドライバに装填し易くするためのクリップホルダも種々提案されている。
【０００６】
このクリップホルダの一例を示すと、例えば特開平５−４２７９３号公報に開示されているように、テープの片面に設けた粘着部にクリップの片方の挟持部を貼着させるタイプのもの、また、例えば特開平５−２６２０８７号公報に開示されているように、クリップの各挟持部の間に設けた凹部から連結部に開設した開口へ、クリップ拡開体を備えた連結帯体を挿通するタイプのものなどがある。
【０００７】
【発明が解決しようとする課題】
従来の特開平５−４２７９３号公報に開示されているクリップホルダは、単に挟持部を貼着部に貼着させているだけなので、クリップをクリップドライバに装填する前にクリップが貼着部から剥がれ落ちる恐れがある。
【０００８】
また、特開平５−４２７９３号公報または特開平５−２６２０８７号公報に開示されているタイプのクリップホルダは、クリップをクリップドライバに装填しても、クリップを所定の位置へ送る機構が設けられていないので、次のクリップを打ち出す場合、クリップドライバの前側を下に向けて次のクリップを所定の位置に位置させなければ、クリップを打ち出せないという不都合があった。
【０００９】
この発明は、上記したような不都合を解消するためになされたもので、クリップを順次打ち出し位置へ移動させ打ち出すことができるクリップドライバを提供するものである。
【００１０】
【課題を解決するための手段】
この発明のクリップドライバは、ノブを所定の後退位置から前進させることによりクリップを所定位置から前進させ、このクリップの耳部分を、左右に位置するクリップ拡開体に係合させ、クリップの２つの挟持部を拡開させてこの挟持部の間にシート積層体を挟んで綴じるクリップドライバにおいて、前記クリップの連結部を後ろ側にして水平状態で移動可能に複数のクリップを保持するクリップホルダと、前記ノブの所定の後退位置からの前進に応じて、所定の退避位置から前進し、この退避位置からの前進に応じてクリップホルダに保持した各クリップを押して順次前進させる移送部材を備えた移動体と、前記移動体とクリップホルダとの距離を可変とする移動体位置可変部と、を備え、前記移動体位置可変部は、移動体が退避位置に位置しているとき、移動体をクリップホルダから最も離した状態として移送部材と各クリップとを非接触状態に保ち、ノブの前進後退を移動体がクリップホルダに接近した状態の下で行わせ、ノブの後退時には移送部材を各クリップに弾力的に接触させ、前記ノブおよび移動体は戻し用付勢部材で付勢されてノブは所定の後退位置に、移動体は所定の退避位置に戻り、前記クリップホルダは、常時は戻し用付勢部材で付勢されている状態を押下部材で係止され、押下部材を押し下げるとき所定距離後方へ飛び出すようになっている、ことを特徴としている。
【００１１】
【発明の実施の形態】
以下、この発明の実施形態を図に基づいて説明する。
【００１２】
図１はこの発明のクリップドライバの分解斜視図、図２はクリップホルダを示す図で、（ａ）は平面図、（ｂ）は一部破断面を含む側面図、（ｃ）は（ａ）のＡ−Ａ線による断面図、（ｄ）は後方正面図、図３はクリップの形状を示す斜視図、図４は上側ケースを示す図で、（ａ）は平面図、（ｂ）は（ａ）のＢ−Ｂ線による断面図、（ｃ）は（ａ）のＣ−Ｃ線による断面図、（ｄ）は（ａ）のＤ−Ｄ線による断面図、（ｅ）は後方正面図、図５は上側ケースを示す図で、（ａ）は側面断面図、（ｂ）は下面図、（ｃ）は（ａ）のＥ−Ｅ線による断面図、（ｄ）は（ａ）のＦ−Ｆ線による断面図、（ｅ）は後方正面図、図６は移動体を示す図で、（ａ）は上面図、（ｂ）は側面図、（ｃ）は下面図、（ｄ）は側面断面図、（ｅ）は右正面図、図７は上側ケースと移動体と下側ケースとの相互の位置関係を示す説明図、図８はクリップホルダを装着する前のクリップドライバを示し、（ａ）は側面断面を概略的に示す図、（ｂ）は退避位置にいる移動体の説明図、図９はクリップホルダを装着したときのクリップドライバを示し、（ａ）は側面断面を概略的に示す図、（ｂ）は退避位置から外れている移動体の説明図、図１０は図９（ａ）のＧ−Ｇ線による断面図で、ノブの取付状況を示す図、図１１はノブを前進させてクリップで書類を綴じる場合の説明図、図１２はノブが元の後退位置に戻る場合を示す説明図、図１３はクリップホルダを抜き取る場合を示し、、（ａ）は抜き取る前の状態を示す説明図、（ｂ）は押圧部を押してクリップホルダが飛び出した状態を示す説明図、図１４はクリップドライバを用いて書類を綴じる状況を示す説明図である。なお、以下の説明において、クリップを送り出す方向を前、その反対方向を後とし、左右上下は、前方に向かって立った場合を基準として表現することとする。
【００１３】
これらの図において、クリップドライバ４０は、合成樹脂製の下側ケース４１と、この下側ケース４１を覆うように取り付けられる合成樹脂製の上側ケース５１と、この上側ケース５１に前後方向および上下方向に移動可能に取り付けられる移動体７１と、上側ケース５１に前後方向へスライド可能に配設されるノブ１１０と、下側ケース４１に挿入されセッティングされるクリップホルダ１１と、ノブ１１０を、挿入したクリップホルダ１１の先頭に位置するクリップ１を打ち出せる位置へ戻すように後端側へ付勢するコイルスプリング１０１と、クリップ１の挟持部３を拡開させる弾性体で構成された一対のクリップ拡開体９１とで構成されている。
【００１４】
先ずクリップ１について説明する。
【００１５】
図３において、１はクリップを示し、連結部２の対向する辺に、先端側が相接するように形成された２つの挟持部３が連設されている。
【００１６】
そして、各挟持部３の先端には、先端側へ進むにつれて互いに離れる所定長のガイド部分３ａが設けられている。
【００１７】
さらに、各ガイド部分３ａの左右には、挟持部３を拡開させるための耳部分３ｂが設けられている。
【００１８】
次に、クリップホルダ１１の構成を説明する。図１、図２および図９（ａ）において、１１は合成樹脂で成形されたクリップホルダを示し、クリップ１を前方へのみ移動可能に連結部２側を落とし込む開口１３が長手方向へ略クリップ１の長さのピッチで所定数設けられた底部１２と、この底部１２の長手方向の両側に対向させて設けられ、クリップ１の耳部分３ｂを案内するコ字状のガイド部１８と、底部１２の後ろ部分であり左右に突出した把持部分２０ａを有するホルダ後部２０とで構成されている。
【００１９】
そして、底部１２には、前端部分に左右方向へ、前端から後方へ延びる所定長の２本のスリット１４Ｆが設けられ、この２本のスリット１４Ｆの間に位置する前方スリット間部材１５は、所定の熱処理を施すことにより隆起して、後方から前方へ上昇する傾斜面となり、クリップ１がクリップホルダ１１の前端から抜け出ないようにクリップ１のガイド部分３ａに係合し、前方ストッパとして機能する。
【００２０】
また、底部１２には、最後部の開口１３とホルダ後部２０との間に、所定長の２本のスリット１４Ｂが設けられ、この２本のスリット１４Ｂの間に位置する後方スリット間部材１６は、上記の前方スリット間部材１５と同様に、所定の熱処理を施すことにより隆起して、後方から前方へ上昇する傾斜面となり、クリップ１がクリップホルダ１１の後端からから抜け出ないようにクリップ１の連結部２に係合し、後方ストッパとして機能する。
【００２１】
ホルダ後部２０は、その後端面２０ｂが、後述する下側ケース４１の後端に設けた押圧部分４８ｂの前端面４８ｃに衝合するとともに、そのホルダ後部２０の裏側に、押圧部分４８ｂに形成したリブ状の突部分４８ｄを挟入する２つの位置決め突起１７が設けられている。
【００２２】
ガイド部１８は、底部１２に連なる下側水平部分１８ａと、この下側水平部分１８ａの外側から立ち上がる垂直部分１８ｂと、この垂直部分１８ｂの上端に連なり、内側へ延びる上側水平部分１８ｃとで構成されている。
【００２３】
また、ガイド部１８の垂直部分１８ｂには、ホルダ後部２０の把持部分２０ａ上部から前方に向けて、所定の長さだけ膨出部分２１が形成されている。そして、ガイド部１８の上側水平部分１８ｃ、膨出部部分２１、および把持部分２０ａの各上面は同一水平面を形成し、クリップホルダ１１を段重ねできるようになっている。したがって、大量の書類をクリップ１で次々と綴じる場合は、予めクリップ１を装着したクリップホルダ１１を段重ねしておき、直ちに補充できるように待機させることができる。
【００２４】
次に、クリップ１のクリップホルダ１１への装着について説明する。
【００２５】
まず、ガイド部分３ａを前側、連結部２を後ろ側にして水平状態としたクリップ１の左右の耳部分３ｂを左右のガイド部１８へ挿入し、クリップ１を前方へ押すと、上方へ傾斜している後方スリット間部材１６がクリップ１で押され、撓んで下降するので、クリップ１の連結部２を後方スリット間部材１６の前方へ挿入することができる。
【００２６】
このようにクリップ１を挿入すると、連結部２側が最後部の開口１３へ落ち込み、後方スリット間部材１６が自身の弾性で上昇するので、開口１３後縁および後方スリット間部材１６でクリップ１は後方へ移動するのを阻止される。
【００２７】
そして、次のクリップ１を同様にクリップホルダ１１へ挿入すると、次のクリップ１も同様にクリップホルダ１１へ挿入することができ、先にクリップホルダ１１へ挿入したクリップ１は、後ろのクリップ１に押されることにより、下側の挟持部３が開口１３の前縁を上昇することによって連結部２が底部１２へ乗り上げ、連結部２が底部１２を前進して前側に位置する開口１３へ落ち込み、開口１３の後縁で後方へ移動するのを阻止される。
【００２８】
したがって、順次クリップ１をクリップホルダ１１へ挿入することにより、図９（ａ）に示すように、クリップホルダ１１に所定数のクリップ１を装填することができる。
【００２９】
そして、先頭のクリップ１は上方へ傾斜している前方スリット間部材１５にガイド部分３ａが衝合する。
【００３０】
次に、クリップ１の送りについて説明する。
【００３１】
まず、ノブ１１０で先頭のクリップ１の連結部２を押すとともに、２番目以降のクリップ１の連結部２をそれぞれ前方へ押すと、前方スリット間部材１５が先頭のクリップ１のガイド部分３ａを含む挟持部３で押され、下降するため、先頭のクリップ１をクリップホルダ１１から送り出し、前進させることができる。
【００３２】
そして、２番目以降のクリップ１は、クリップホルダ１１へ装填するときと同様に、１つ前の開口１３へと前進する。
【００３３】
なお、クリップ１が前方スリット間部材１５を乗り越えると、前方スリット間部材１５は自身の弾性で元の状態へ復帰する。
【００３４】
上記のように、底部１２にクリップ１を前進のみを可能とする開口１３を設けたので、所定の機構により、装填したクリップ１を順次前進させ、クリップ１を順次打ち出し位置（先端位置）へ移動させることができる。
【００３５】
そして、前方スリット間部材１５および後方スリット間部材１６を設けたので、クリップ１は前後に不用意に外れなくなり、扱い易くなる。これらの前方スリット間部材１５および後方スリット間部材１６のいずれも、熱処理により上方へ傾斜させるようにしたので、傾斜面を容易に形成することができ、クリップホルダ１１の製作をより簡単なものとすることができる。
【００３６】
さらに、前方スリット間部材１５および後方スリット間部材１６の両サイドにスリット１４Ｆ，１４Ｂを設け、撓みやすくしたので、確実に操作性よくクリップ１を装填できるとともに、前進させることができる。
【００３７】
上記の説明では、クリップホルダ１１を合成樹脂で成形したが、廃棄することを考慮すれば、環境保護のため、可燃性材料、例えば炭酸カルシウム入りポリプロピレンなど、または生分解性材料、例えば生分解性樹脂など、さらには再生材などで製造することが望ましい。
【００３８】
次に、下側ケース４１の構成を説明する。
【００３９】
下側ケース４１は、前後方向に長い底壁４１Ａと、その底壁４１Ａに前端部分４２Ｆを除いて左右両端に立設した側壁４１Ｂとを備えている。底壁４１Ａの左右には、クリップホルダ１１を案内するガイド面４３が形成されている。底壁４１Ａの前端寄りおよび後端寄りで一対の側壁４１Ｂの各内側の合計４ヶ所には、後述する上側ケース５１の側壁５１Ｂの下端面に設けた４個の突片５２０が遊嵌する孔４２０が形成されている。また、側壁４１Ｂの内側は、これらの４ヶ所の孔４２０の上方部分において、一部を水平状の突条片４１１として残した状態で、その突条片４１１の上下が凹状に形成されている。
【００４０】
一対の側壁４１Ｂの前端内側の左右には、後方から前方に向けて下降する突状部４４が設けられている。この突状部４４は、後端がクリップホルダ１１の突き当て面４４ａとされ、クリップ拡開体９１の後端下面が当接する上面４４ｂに、クリップ拡開体９１の嵌合孔９１ｂに嵌合する突起４４ｃを備えている。そして、上記の突き当て面４４ａの下端側は、４ヶ所の孔４２０のうち、前方２ヶ所の孔４２０の前端側を成している。
【００４１】
上記の一対の突状部４４のさらに内側左右には、突状部４４より低い高さで突状部４４とは段差を成して、後方から前方に向けて下降する傾斜部４９が形成され、この左右の傾斜部４９の間隔は、クリップ１の耳部分３ｂの左右方向の幅にほぼ等しく、クリップホルダ１１先頭のクリップ１の耳部分３ｂがこの傾斜部４９に載るようになっている。
【００４２】
また、一対の側壁４１Ｂの後端には、段部４５が設けられるとともに、その段部４５の内側には、段部４５より低い高さで突部分４６が設けられている。さらに、底壁４１Ａには、後端部分に左右方向へ、後端から前方へ所定長延びる２本のスリット４７Ｂが設けられ、この２本のスリット４７Ｂの間に位置するスリット間部材４８ａは、そのまま後方に所定の長さだけ延設されて押下部４８を構成している。この押下部４８の最後部は押圧部分４８ｂとして、左右方向に拡幅されるとともに後方から前方に向け上方へ傾斜するように形成され、押圧部分４８ｂの前端面４８ｃはスリット間部材４８ａに対して段差を成している。この前端面４８ｃの左右方向の幅中央には、前端面４８ｃからスリット間部材４８ａに向けて、上記したリブ状の突部分４８ｄが形成されている。押圧部分４８ｂを指で押すと、押下部４８の可撓性により押圧部分４８ｂは水平状態から少し下方へ撓み、指を離すと水平状態に戻る。
【００４３】
次に、上側ケース５１の構成を説明する。
【００４４】
上記した上側ケース５１は、前後方向に長い上壁５１Ａと、その上壁５１Ａの前端部分５２と後端部分とを除いて上壁５１Ａの左右両端から少し内側に立設した一対の側壁５１Ｂとを備えている。
【００４５】
上壁５１Ａの後端には後端壁５１Ｃが形成され、この後端壁５１Ｃの下部中央は、凹状に切り欠いて左右に脚部５１０が形成され、この一対の脚部５１０の間には、クリップホルダ１１に装着された各クリップ１の連結部２上部が出入自在に遊嵌するようになっている。
【００４６】
また、側壁５１Ｂの下面には、下側ケース４１の４個の孔４２０に対応するように突片５２０が４ヶ所に形成され、側壁５１Ｂの外面には、突片５２０の上方部分において水平状の突条片５１１が形成されている。
【００４７】
上側ケース５１を下側ケース４１に装着すると、上側ケース５１の側壁５１Ｂの各外面が下側ケース４１の側壁４１Ｂの各内面に嵌入し、突片５２０が孔４２０に遊嵌するとともに、突条片５１１が突条片４１１の下方に収まり、このとき、上壁５１Ａの側縁部５３の下面５３ａが側壁４１Ｂの上面に当接し、後端壁５１Ｃの脚部５１０の下面が段部４５の上面に当接し、両者は着脱自在に一体化する。
【００４８】
上壁５１Ａには、中央から先端へ向かって延びる長方形の開口６１、この開口６１の左右にノブ１１０を前後に案内するガイドリブ６２が設けられている。
【００４９】
また、左右の側壁５１Ｂの前端側は、高さが低くなって、後方から前方に向けてさらに高さが低くなる突状部５４が設けられている。この突状部５４は、クリップ拡開体９１の後端上面が当接する下面５４ｂに、下側ケース４１の突起４４ｃに嵌合する嵌合孔５４ｃを備えている。そして、これらの一対の突状部５４のさらに内側左右には、突状部５４より低い高さで突状部５４とは段差を成して、後方から前方に向けて傾斜する傾斜部５９が形成され、この左右の傾斜部５９の間隔は、クリップ１の耳部分３ｂの左右方向の幅にほぼ等しく、クリップホルダ１１先頭のクリップ１の耳部分３ｂがこの傾斜部５９に案内されるようになっている。
【００５０】
一対の側壁５１Ｂの上部内側には、側壁５１Ｂの後端から、傾斜部５９の後端面５９ａまで延びるホルダ案内部５５が設けられ、このホルダ案内部５５の下面にクリップホルダ１１の上側水平部分１８ｃが当接してクリップホルダ１１が案内されるようになっている。
【００５１】
上壁５１Ａの下面（裏面）には、左右方向中央に、後端壁５１Ｃから開口６１まで浅い溝５６が形成され、この溝５６の左右方向両端の段部５７の下面５７ａは、上壁５１Ａの側縁部５３の下面５３ａと同一高さを保持するとともに、ホルダ案内部５５に対しては段差を成してより上方に位置しており、後述するように、移動体案内部５７として機能する。
【００５２】
そして、左右一対の側壁５１Ｂおよびホルダ案内部５５には、側縁部５３の下面５３ａに沿って、前方側に第１長孔６５、後方側に第２長孔６６がそれぞれ穿設され、各長孔６５，６６の後端には、前方から後方に向けて隆起した後平坦となる乗り上げ部６５ａ，６６ａが形成されている。また、第１長孔６５の前端には、内側の移動体案内部５７に入り込むように肉盛りして規制面６７を形成し、移動体案内部５７に案内される移動体７１の前進を規制している。
【００５３】
また、左右一対の移動体案内部（段部）５７には、前後方向略中央と後方の合計４ヶ所に、凹状に形成した陥入部５７ｂが形成されている。この陥入部５７ｂは、前端面が前方から後方に向けて上方に傾斜し、後端面が垂直になっている。さらに、溝５６の底面（上面）５６ａには、後方にコイルスプリング１０１の一端を係止する係止突起５６ｃが、また前方にノブ１１０の係止フック１１６が乗り上げるようになる乗り上げ突起５６ｄが、それぞれ設けられている。
【００５４】
一対の側壁５１Ｂは、第２長孔６６の後端部分より後方では内側のホルダ案内部５５を残した状態で薄肉状に削られそれぞれ薄肉部５８となっており、この一対の薄肉部５８には、平面視コ字状で可撓性を有する可動片６３を、側壁５１Ｂの後端と、後端壁５１Ｃとの間のスペースを利用して嵌着させるようになっている。
【００５５】
この可動片６３の２つの隅部には、連結部分６３１中央から各隅部に向けて２段階に垂下して第１段差部分６３ａと第２段差部分６３ｂとが形成され、一対の第２段差部分６３ｂの間には、クリップホルダ１１のガイド部１８が出入自在に遊嵌し、第１段差部分６３ａの間には、クリップホルダ１１に装着された各クリップ１の連結部２上部が出入自在に遊嵌し、第２段差部分６３ｂにはクリップホルダ１１のホルダ後部２０に設けた膨出部分２１の前面が当接するようになっている。
【００５６】
次に移動体７１の構成を説明する。移動体７１は、細長い枠体状のものであり、一対の側枠７２は前方部分を除いて高さが高く形成されている。前端枠７３および後端枠７４は、前後方向の幅が厚くなって、その下面側には各々下向きに先頭突起７３１および最後尾突起７４１が形成されている。また、一対の側枠７２の間には、後端枠７４から前方に向けて所定間隔で連接部分７５が設けられ、各連接部分７５および後端枠７４の各前面には、前方に向けて所定長さの接片７６が、また、前端枠７３の後面には、後方に向けて、所定長さの接片７７がそれぞれ形成されている。そして、これらの接片７６，７７には、その先端側下面に下向きに中間突起７８が設けられ、先頭突起７３１、中間突起７８、最後尾突起７４１は、移送部材として、隣り合う突起同士の距離がすべて、クリップ１の送りピッチに等しくなるように配列されている。
【００５７】
接片７７と、複数の接片７６のうち前方に位置する接片７６との間では、側枠７２の各内面に、平行な２本のリブが上下方向に形成されて支承部７９が構成され、ノブ１１０に設けた突片１１５を揺動自在に支承するようになっている。
【００５８】
一対の側枠７２の各外面下部には、後端側と前方側との合計４ヶ所に、移動体７１の移動を導く案内腕部８０が設けられる。この案内腕部８０は、側枠７２の外面に固設した基部８０ａと、基部８０ａに側枠７２に沿って前方方向に延設した腕８０ｂと、その腕８０ｂに左右方向外向きに設けられ第１長孔６５、第２長孔６６に遊嵌する横向き突部８０ｃとを備え、腕８０ｂは、基部８０ａを中心にその弾力性で上下方向、左右方向に揺動可能になっている。
【００５９】
また、側枠７２の各外面下部には、上記の案内腕部８０の間に、移動体７１に上下方向の弾力性を付与する弾力付与部８１が設けられる。この弾力付与部８１は、側枠７２の外面に固設した中央基部８１ａを共有して前方と後方とに設けられ、前方弾力付与部８２は、中央基部８１ａに側枠７２に沿って前方向に延設した腕８２ｂと、その腕８２ｂに上向きに設けられ移動体案内部５７の陥入部５７ｂに出入自在に陥入する上向き突部８２ｃとを備えている。また、後方弾力付与部８３は、前方弾力付与部８２と同様に、中央基部８１ａに側枠７２に沿って後方向に延設した腕８３ｂと、その腕８３ｂに上向きに設けられ移動体案内部５７の陥入部５７ｂに出入自在に陥入する上向き突部８３ｃとを備えている。そして、この腕８２ｂ、８３ｂは、案内腕部８０の腕８０ｂの長さより長くして中央基部８１ａを中心にその弾力性で撓みやすく構成され、上下方向に揺動可能になっている。
【００６０】
次にノブ１１０の構成を説明する。ノブ１１０は、指押し部１１１と、指押し部１１１の下部１１８から前方に突き出して形成され前面１１２がクリップ１の連結部２に当接してクリップ１を押し出す押し出し部１１３と、指押し部１１１の下部から後方へ延設した軸１１４と、を備え、軸１１４には、その先端に上記した係止フック１１６が形成され、先端の手前で軸下端側に上記した突片１１５が形成されている。
【００６１】
次に組立について説明する。
【００６２】
先ず、上側ケース５１の開口６１にノブ１１０の押し出し部１１３と軸１１４とを入れ、コイルスプリング１０１の両端を、ノブ１１０の係止フック１１６と、上壁５１Ａの係止突起５６ｃとに取り付ける。次に、可動片６３を、側壁５１Ｂの後端と、後端壁５１Ｃとの間のスペースを利用して薄肉部５８に嵌着させる。
【００６３】
続いて、移動体７１を、その案内腕部８０の腕８０ｂを左右方向に撓ませながら、案内腕部８０の横向き突部８０ｃを上側ケース５１の第１長孔６５、第２長孔６６に入れ、また、移動体７１の支承部７９にノブ１１０の突片１１５を嵌入させ、移動体７１を上側ケース５１に装着する。ノブ１１０と移動体７１とを上側ケース５１に組み付けると、ノブ１１０と移動体７１とは、移動体７１の支承部７９を介して一体的に前進後退するようになる。また、ノブ１１０は、移動体７１の支承部７９に揺動可能に支持されていること、およびコイルスプリング１０１で後方に付勢されていることで、その姿勢を起こされ、図１０に示すように、ノブ１１０の押し出し部１１３上部に形成した拡幅部分１１７の上面が、開口６１のガイドリブ６２下面に突き当たった状態となる。そして、ノブ１１０を指で押して前進させるときは、ノブ１１０は、支承部７９を中心にして下向きに押し下げられ、ノブ１１０の下部１１８の左右に設けた受座面１１８ａがガイドリブ６２の上面に当接し、指で押し進める間はその当接状態を保ちながら前進する。
【００６４】
一方、下側ケース４１の前端内側に設けた突状部４４の突起４４ｃに、クリップ拡開体９１の嵌合孔９１ｂを嵌入して、突状部４４にクリップ拡開体９１を載せる。
【００６５】
そして、ノブ１１０と移動体７１とを装着した上側ケース５１を、クリップ拡開体９１を載設した下側ケース４１に装着する。すなわち、上側ケース５１の側壁５１Ｂの各外面を下側ケース４１の側壁４１Ｂの各内面に嵌入させ、突片５２０を孔４２０に遊嵌させるとともに、上側ケース５１の突条片５１１を下側ケース４１の突条片４１１の下方に収容させる。このとき、上側ケース５１の側縁部５３の下面５３ａが下側ケース４１の側壁４１Ｂの上面に当接し、後端壁５１Ｃの脚部５１０の下面が、段部４５の上面に当接し、両者は着脱自在に一体化し、組立が完了する。
【００６６】
この組立により、クリップドライバ４０には、クリップホルダ１１の挿入口４と、書類（シート積層体）Ｓの差し込み口５とが形成される。
【００６７】
組立が完了したクリップドライバ４０において、移動体７１は、ノブ１１０とともにコイルスプリング１０１によって後方に付勢され、図８に示すように、第１および第２長孔６５，６６に遊嵌している横向き突部８０ｃが、各長孔６５，６６の乗り上げ部６５ａ，６６ａに乗り上げ、そのまま各長孔６５，６６の後端に当接した状態となる。したがって、移動体７１の後方移動が制止されている。また、移動体７１の上向き突部８２ｃ，８３ｃは、上側ケース５１の移動体案内部５７に形成した陥入部５７ｂに陥入した状態となっている。さらに、ノブ１１０の係止フック１１６は、上側ケース５１の溝５６に形成した乗り上げ突起５６ｄに乗り上げた状態となる。移動体７１は、コイルスプリング１０１によって後方および斜め上方へ付勢されており、係止フック１１６の乗り上げによって、その斜め上方への付勢力はより一層強められる。
【００６８】
移動体７１は、乗り上げ部６５ａ，６６ａへの乗り上げ、また陥入部５７ｂへの陥入により、より上方へ移動して上壁５１Ａ側へ沈む込むようになり、コイルスプリング１０１の付勢力でその位置に静止する。移動体７１が上壁５１Ａ側へ沈み込んだこの位置を、退避位置と称することとする（図８（ｂ））。
【００６９】
次に、クリップドライバ４０にクリップホルダ１１を挿入し、セッティングする場合について説明する。組立が完了したクリップドライバ４０に、クリップ１を装着したクリップホルダ１１を挿入する場合は、挿入口４にそのままクリップホルダ１１を挿入してゆく。この場合、移動体７１は退避位置にいるため、クリップホルダ１１との上下方向の距離は十分大きく確保されており、クリップ１が移動体７１に干渉することなく、挿入は何ら支障無くスムーズに行われる。
【００７０】
クリップホルダ１１の大部分が挿入されると、クリップホルダ１１の膨出部分２１の前面が可動片６３に衝合して可動片６３を前方へ押し進め、可動片６３は膨出部分２１に押されて移動体７１の後端枠７４の後端面７４ａに当接する。さらに指でクリップホルダ１１を押し進めていくと、クリップホルダ１１の裏面側に形成した位置決め突起１７が下側ケース４１の押圧部分４８ｂを乗り越え、２つの位置決め突起１７の間に、押下部４８のスリット状の突部分４８ｄが挟入する。この時点でのクリップホルダ１１には、ノブ１０１、移動体７１、可動片６３および膨出部分２１を介して、コイルスプリング１０１による後方への付勢力が働いており、最終的に、クリップホルダ１１の位置決め突起１７の後端面が、押圧部分４８ｂの前端面４８ｃに当接し、セッティングが完了する（図９（ａ））。なお、このセッティング状態では、移動体７１は押されて少し前進しているので、図９（ｂ）に示すように、退避位置からすでに外れてクリップホルダ１１側へ下降している。すなわち、横向き突部８０ｃが乗り上げ部６５ａ，６６ａから降り、上向き突部８２ｃ，８３ｃが陥入部５７ｂから脱して移動体案内部５７の下面５７ａにその弾性力で接している状態となる。ただし、この場合でも、移動体７１の下向きの各突起７３１，７４１，７８は、クリップ１の挟持部３上方に位置しており、移動体７１とクリップ１との干渉は生じない（図９（ａ））。そして、クリップホルダ１１がセッティングされている場合は、ノブ１１０の前進後退（移動体７１の前進後退）に関係なく、常時、横向き突部８０は乗り上げ部６５ａ，６６ａから降った状態を保ち、また上向き突部８２ｃ，８３ｃは移動体案内部５７の下面５７ａに弾力的に当接した状態を保っている。
【００７１】
ところで、クリップドライバ４０において、上記の可動片６３を用いない構成とした場合は、クリップホルダ１１のホルダ後部２０に、移動体７１の後端面７４ａに当接させて移動体７１を後方から押し進めるための部材を突設する必要がある。しかし、このように、移動体７１を押し進める部材を突設すると、クリップホルダ１１は、段重ねすることができなくなり、上記した段重ねによる速やかなクリップホルダ１１の補充も困難となってしまう。そこで、本発明では、可動片６３の構成を採用することとし、クリップホルダ１１を段重ねできるようにしている。
【００７２】
また、押下部４８に、リブ状の突部分４８ｄを設けたのは、位置決めの効果だけでなく、下記のような効果を発揮させるためでもある。すなわち、クリップ１を装着したクリップホルダ１１を逆さまにし、クリップ１を下方に向けた状態でクリップドライバ４０にセッティングするといった誤った操作を行う場合も考えられ、そのような場合、クリップホルダ１１を無理に引き抜こうとすると、クリップ１の連結部２が押圧部分４８ｂの前端面４８ｃに衝合し、クリップ１が内部に残ってクリップホルダ１１のみが抜けることとなる。そこで、この実施形態では、リブ状の突部分４８ｄを設けることで、クリップ１がこの突部分４８ｄに案内されて速やかに前端面４８ｃを通過できるようにしており、上記のような誤った操作を行った場合でも、クリップホルダ１を引き抜くことができるようになっている。
【００７３】
次に、書類Ｓをクリップ１で綴じる場合について説明する。
【００７４】
セッティングが完了したクリップドライバ４０の差し込み口５に、クリップ１で挟持可能な厚さの書類Ｓを挿入し、各クリップ拡開体９１の中に位置させた後、コイルスプリング１０１の付勢力に抗して、指押し部１１１を押してノブ１１０を前進させると、図１１に示すように、ノブ１１０の押し出し部１１３が先頭のクリップ１の連結部２に後方から当接して押し進めるとともに、移動体７１が前進するため下向きの各突起７３１，７４１，７８が対応するクリップ１の連結部２に後方から当接し、各クリップ１を押し進めるようになる。そして、先頭のクリップ１は、その上下に開いた耳部分３ｂに、左右のクリップ拡開体９１の後端内側が入り込み、耳部分３ｂが上下の傾斜部５９，４９でガイドされつつ、上下の挟持部３の間隔が、書類Ｓを挟持できる状態に拡開してゆく。さらに、ノブ１１０を前進させ、連結部２が書類Ｓに当接するようになると、前進した左右の耳部分３ｂはクリップ拡開体９１を通過してクリップ拡開体９１から外れ、クリップ１が書類Ｓを綴じるとともに、書類Ｓが差し込み口５から押し出される。このとき、後続のクリップ１はクリップ１の送りピッチ分だけ前進して待機する。
【００７５】
次に、指押し部１１１から指を離してノブ１１０を前進させていた押圧力を解除すると、コイルスプリング１０１の付勢力によってノブ１１０は元の後退位置、すなわちクリップホルダ１１の先頭に前進したクリップ１を打ち出せる位置へ後退する。
【００７６】
ノブ１１０が元の後退位置へ戻る途中で、移動体７１の各突起７３１，７４１，７８は、図１２に示すように、後方に待機しているクリップ１の挟持部３上部および連結部２上部に接触するが、この移動体７１は、弾力性を有する弾力付与部８１および案内腕部８０で支持されているため、上下方向に弾力的に変位する。したがって、移動体７１の各突起７３１，７４１，７８が、クリップ１の挟持部３上部および連結部２上部に接触すると、移動体７１は上方へ変位し（図１２の二点鎖線）、各突起７３１，７４１，７８はその接触を保持しつつ挟持部３を滑り上り、連結部２を乗り越え、クリップ１を打ち出せる位置までスムーズに後退する。
【００７７】
また、ノブ１１０が元の後退位置へ後退する途中で、押し出し部１１３は後方に待機しているクリップ１の挟持部３上部および連結部２上部に接触するが、ノブ１１０は、移動体７１の支承部７９に揺動可能に軸支されているため、押し出し部１１３もその姿勢を変えつつ、クリップ１の挟持部３上部および連結部２上部を乗り越えてゆき、先頭のクリップ１を打ち出せる位置までスムーズに後退する。
【００７８】
次に、クリップホルダ１１をクリップドライバ４０から抜き取る場合について説明する。
【００７９】
クリップホルダ１１を抜き取るには、押圧部分４８ｂを押し下げる。押圧部分４８ｂを押し下げると（図１３（ａ）の矢印Ｍ）、クリップホルダ１１の位置決め突起１７の後端面と押圧部分４８ｂの前端面４８ｃとの当接状態が解除され、クリップホルダ１１は、コイルスプリング１０１の付勢力で、後方へ飛び出すようになる。すなわち、コイルスプリング１０１の付勢力で、移動体７１および可動片６３が後方へ押され、可動片６３がクリップホルダ１１の膨出部分２１前端面を押し、これにより、可動片６３が、上側ケース５１の後端壁５１Ｃまで移動するその距離分だけ、クリップホルダ１１が挿入口４から飛び出す（図１３（ｂ））。
【００８０】
このときの移動体７１は、付勢力で後方へ移動するため、横向き突部８０ｃが乗り上げ部６５ａ，６６ａに乗り上げ、各長孔６５，６６の後端に当接した状態となって、後方移動が制止されるとともに、上向き突部８２ｃ，８３ｃが、陥入部５７ｂに陥入した状態となる。すなわち、移動体７１は退避位置に停止する。
【００８１】
その後、クリップドライバ４０から少しだけ飛び出したクリップホルダ１１を掴んで、後方へ抜き取り、クリップドライバ４０から取り出す。この場合、クリップホルダ１１にクリップ１が残っていても、移動体７１は退避位置にいるため、移動体７１とクリップホルダ１１との上下方向の距離は十分大きく確保されており、したがって、クリップ１が移動体７１に干渉するようなことは全くなく、クリップホルダ１１の抜き取りは何ら支障無くスムーズに行われる。
【００８２】
以上述べたように、この実施形態では、移動体７１の案内腕部８０や弾力付与部８１、上側ケース５１の乗り上げ部６５ａ，６６ａや陥入部５７ｂ等によって移動体位置可変部を構成し、移動体７１を弾力的に支持するとともに、移動体７１の上下方向での位置を可変とし、ノブ１１０の前進時には移動体７１がクリップホルダ１１に接近して、押し出し部１１３や各突起７３１，７４１，７８で各クリップ１を押し進め、後退時には各突起７３１，７４１，７８を各クリップ１に弾力的に接触させるように構成したので、順次クリップを打ち出し位置へ移動させ、連続して打ち出すことができる。
【００８３】
また、移動体７１を退避位置に位置させて、クリップホルダ１１の装着、抜き取りを行うようにしたので、各突起７３１，７４１，７８と、各クリップ１との非接触状態を保ったままで、クリップホルダ１１の着脱を行うことができ、したがって、クリップホルダ１１の装着、抜き取りを極めてスムーズに何らの支承もなく行うことができる。
【００８４】
また、押圧部分４８ｂを押し下げるだけで、クリップホルダ１１が飛び出し、そのクリップホルダ１１を抜き取るだけでよいので、簡単にクリップホルダ１１の抜き取り作業を行うことができる。
【００８５】
図１５は本発明の第２の実施形態を示す図である。図に示すように、この実施形態では、ノブ１１０の押し当て部１１３の後端に後端突部１１３ａを形成し、一方、移動体７１の前端枠７３の前端上部に前端突部７３ａを形成してある。
【００８６】
先頭のクリップ１は、図２（ａ）（ｂ）に示すように、先端面１５ａに連結部２が当たって後方への移動が規制されているが、この先端面１５ａは深さが浅いため、他の開口１３に比較してクリップ１の後方への移動を抑える作用が弱くなっている。このため、最後の１個のクリップ１が先頭にきた状態で、クリップドライバ４０を上に向けたりすると、先頭位置から抜け落ちる可能性がある。その場合、上記したように、移動体７１に前端突部７３ａを設け、ノブ１１０側に後端突部１１３ａを設けると、ノブ１１０はその揺動動作を移動体７１によって規制され、ノブ１１０を指で押したときの略水平の姿勢に押し当て部１１３の姿勢を保持するようになる。
【００８７】
この構成の下で、先のクリップ１を打ち終わり、先頭に前進してきたクリップ１を打ち出せる位置にノブ１１０が戻る場合は、押し当て部１１３がクリップ１に接触するが、押し当て部１１３は後端突部１１３ａおよび前端突部７３ａを介して移動体７１を上方へ押し、そのため移動体７１がその弾力性で上方へ変位するので、押し当て部１１３はスムーズにクリップ１の連結部１１３を乗り越えることができ、その直ぐ背後に待機することができる。したがって、先頭のクリップ１が先端面１５ａから抜け落ちようとしても、そのクリップ１を背後から支えることができ、したがって、最後の１個のクリップ１であってもそれがが抜け落ちるのを確実に防止することができる。
【００８８】
【発明の効果】
以上のように、この発明のクリップドライバによれば、移動体位置可変部を構成し、移動体を弾力的に支持するとともに、移動体とクリップホルダとの距離を可変とし、ノブの前進時には移動体がクリップホルダに接近して、移送部材で各クリップを押し進め、後退時には移送部材を各クリップに弾力的に接触させるように構成したので、順次クリップを打ち出し位置へ移動させ、連続して打ち出すことができる。
【００８９】
また、移動体を退避位置に位置させて、クリップホルダの装着、抜き取りを行うようにしたので、移送部材と、各クリップとの非接触状態を保ったままで、クリップホルダの着脱を行うことができ、したがって、クリップホルダの装着、抜き取りを極めてスムーズに何らの支承もなく行うことができる。
【図面の簡単な説明】
【図１】この発明のクリップドライバの分解斜視図である。
【図２】クリップホルダを示す図で、（ａ）は平面図、（ｂ）は一部破断面を含む側面図、（ｃ）は（ａ）のＡ−Ａ線による断面図、（ｄ）は後方正面図である。
【図３】クリップの形状を示す斜視図である。
【図４】上側ケースを示す図で、（ａ）は平面図、（ｂ）は（ａ）のＢ−Ｂ線による断面図、（ｃ）は（ａ）のＣ−Ｃ線による断面図、（ｄ）は（ａ）のＤ−Ｄ線による断面図、（ｅ）は後方正面図である。
【図５】上側ケースを示す図で、（ａ）は側面断面図、（ｂ）は下面図、（ｃ）は（ａ）のＥ−Ｅ線による断面図、（ｄ）は（ａ）のＦ−Ｆ線による断面図、（ｅ）は後方正面図である。
【図６】移動体を示す図で、（ａ）は上面図、（ｂ）は側面図、（ｃ）は下面図、（ｄ）は側面断面図、（ｅ）は右正面図である。
【図７】上側ケースと移動体と下側ケースとの相互の位置関係を示す説明図である。
【図８】クリップホルダを装着する前のクリップドライバを示し、（ａ）は側面断面を概略的に示す図、（ｂ）は退避位置にいる移動体の説明図である。
【図９】クリップホルダを装着したときのクリップドライバを示し、（ａ）は側面断面を概略的に示す図、（ｂ）は退避位置から外れている移動体の説明図である。
【図１０】ノブの取付状況を示し、図９（ａ）のＧ−Ｇ線による断面図である。
【図１１】ノブを前進させてクリップで書類を綴じる場合の説明図である。
【図１２】ノブが元の後退位置に戻る場合を示す説明図である。
【図１３】クリップホルダを抜き取る場合の説明図で、（ａ）は抜き取る前の状態を示し、（ｂ）は押圧部を押してクリップホルダが飛び出した状態を示す。
【図１４】クリップドライバを用いて書類を綴じる状況を示す説明図である。
【図１５】本発明の第２の実施形態を示す図である。
【符号の説明】
１    クリップ
２    連結部
３    挟持部
３ａ  ガイド部分
３ｂ  耳部分
４    クリップドライバの挿入口
５    クリップドライバの差し込み口
１１    クリップホルダ
１２    底部
１３    開口
１４Ｂ  スリット
１４Ｆ  スリット
１５    前方スリット間部材
１６    後方スリット間部材
１７    位置決め突起
１８    ガイド部
１８ａ  下側水平部分
１８ｂ  垂直部分
１８ｃ  上側水平部分
２０    ホルダ後部
２０ａ  把持部分
２０ｂ  後端面
２１    膨出部分
４１    下側ケース
４１Ａ  底壁
４１Ｂ  側壁
４２Ｆ  前端部分
４３    ガイド面
４４    突状部
４４ａ  突き当て面
４４ｂ  上面
４４ｃ  突起
４５    段部
４６    突部分
４７Ｂ  スリット
４８    押下部
４８ａ  スリット間部材
４８ｂ  押圧部分
４８ｃ  前端面
４８ｄ  突部分
４９    傾斜部
４１１    突条片
４２０    孔
５１    上側ケース
５１Ａ  上壁
５１Ｂ  側壁
５１Ｃ  後端壁
５１０    脚部
５１１    突条片
５２    前端部分
５２０    突片
５３    側縁部
５３ａ  下面
５４    突状部
５４ｂ  下面
５４ｃ  嵌合孔
５５    ホルダ案内部
５６    溝
５６ｃ  係止突起
５６ｄ  乗り上げ突起
５７    移動体案内部（段部）
５７ａ  下面
５７ｂ  陥入部
５８    薄肉部
５９    傾斜部
５９ａ  後端面
６１    開口
６２    ガイドリブ
６３    可動片
６３ａ  第１段差部分
６３ｂ  第２段差部分
６３１    連結部分
６５    第１長孔
６５ａ  乗り上げ部
６６ａ  乗り上げ部
６６    第２長孔
６７    規制面
７１    移動体
７２    側枠
７３    前端枠
７３１    先頭突起
７４    後端枠
７４１    最後尾突起
７５    連接部分
７６    接片
７７    接片
７８    中間突起
７９    支承部
８０    案内腕部
８０ａ  基部
８０ｂ  腕
８０ｃ  横向き突部
８１    弾力付与部
８１ａ  中央基部
８２    前方弾力付与部
８２ｂ  腕
８２ｃ  上向き突部
８３    後方弾力付与部
８３ｂ  腕
８３ｃ  上向き突部
９１    クリップ拡開体
９１ｂ  嵌合孔
１０１    コイルスプリング
１１０    ノブ
１１１    指押し部
１１２    前面
１１３    押し出し部
１１４    軸
１１５    突片
１１６    係止フック
１１７    拡幅部分
１１８    下部
１１８ａ  受座面
【図１】
0004325887.tif 000002
【図２】
0004325887.tif 000003
【図３】
0004325887.tif 000004
【図４】
0004325887.tif 000005
【図５】
0004325887.tif 000006
【図６】
0004325887.tif 000007
【図７】
0004325887.tif 000008
【図８】
0004325887.tif 000009
【図９】
0004325887.tif 000010
【図１０】
0004325887.tif 000011
【図１１】
0004325887.tif 000012
【図１２】
0004325887.tif 000013
【図１３】
0004325887.tif 000014
【図１４】
0004325887.tif 000015
【図１５】
0004325887.tif 000016